(57)【特許請求の範囲】
【請求項１】
ステーの天板受に天板を取り付けるにあたり、前記ステーに天板奥行き方向に沿って作動可能な作動部材を配置し、この作動部材に、当該作動部材の作動に伴い前記天板に係わって天板を厚み方向に引き寄せる天板係り合い部を一体的に設け、また当該作動部材をステーに沿って作動させるための駆動機構を関連づけるとともに、前記ステーのうち前記作動部材の作動に影響されない部位に、天板を奥行き方向の所定位置に係止するためのアンカー部を一体的に設け、
駆動機構による作動部材の作動に伴い前記天板係り合い部及びアンカー部を介して前記天板をステーの天板受に取り付けた状態で、少なくとも２箇所において前記天板の天板受からの浮き上がりを規制するように構成したことを特徴とする天板取付構造。
【請求項２】
作動部材の作動方向に沿った複数箇所に前記天板係り合い部を設け、これらの天板係り合い部において天板の２箇所以上を厚み方向に引き寄せるようにしている請求項１記載の天板取付構造。
【請求項３】
アンカー部に天板を厚み方向に拘束する機能を付与し、このアンカー部による前記拘束とともに、作動部材に設けた前記天板係り合い部によって天板を厚み方向に引き寄せるようにしている請求項１記載の天板取付構造。
【請求項４】
ステー内に、当該ステーに剛性を付与するための補強部材を利用して作動部材の作動方向と直交する断面がほぼ包囲された中空部を形成し、この中空部に前記作動部材を摺動可能な状態で密接に収容している請求項１〜３何れかに記載の天板取付構造。
【請求項５】
脚の後面に背板を取り付けるにあたり、前記脚に上下方向に沿って作動可能な背作動部材を配置し、この背作動部材に、当該背作動部材の作動に伴い前記背板に係わって厚み方向に背板を引き寄せる背板係り合い部を一体的に設け、また当該背作動部材を脚の後面に沿って作動させるための背部駆動機構を関連づけるとともに、前記後面のうち前記背作動部材の作動に影響されない部位に、背板を上下方向の所定位置に係止するための背アンカー部を一体的に設け、
背部駆動機構による背作動部材の作動に伴い前記背板係り合い部及び背アンカー部を介して前記背板を脚の後面に取り付けた状態で、少なくとも２箇所において前記背板の脚後面からの浮き上がりを規制するように構成したことを特徴とする背板取付構造。
【請求項６】
背作動部材の作動方向に沿った複数箇所に前記背板係り合い部を設け、これらの背板係り合い部において背板の２箇所以上を厚み方向に引き寄せるようにしている請求項５記載の背板取付構造。
【請求項７】
背アンカー部に背板を厚み方向に拘束する機能を付与し、この背アンカー部による前記拘束とともに、背作動部材に設けた前記背板係り合い部によって背板を厚み方向に引き寄せるようにしている請求項５記載の背板取付構造。
【請求項８】
脚内部に、当該脚に剛性を付与するための補強部材を利用して背作動部材の作動方向と直交する断面がほぼ包囲された中空部を形成し、この中空部に前記背作動部材を摺動可能な状態で密接に収容している請求項５〜７何れかに記載の背板取付構造。
【請求項９】
請求項１〜４記載の天板取付構造を利用して、一対の平行配置された脚のステーにそれぞれ天板の両縁部を取り付けてなることを特徴とする天板付家具。
【請求項１０】
請求項１〜４記載の天板取付構造を利用して、一対の交叉配置された脚のステーにそれぞれ天板の対応部位を取り付けてなることを特徴とする天板付家具。
【請求項１１】
請求項５〜８記載の背板取付構造を利用して、一対の平行配置された脚の後面にそれぞれ背板の両縁部を取り付けてなることを特徴とする背板付家具。
【発明の詳細な説明】
【技術分野】
【０００１】
本発明は、ステーの天板受や脚の後面に天板や背板を、簡単な操作を通じて適切な位置決め状態の下に取り付け可能とした天板取付構造及び背板取付構造に関するものである。
【背景技術】
【０００２】
例えば、脚に天板を取り付ける構造として、特許文献１に示すもの等が知られている。このものは、脚のステーの上端に固定爪を設ける一方、天板の下面にスリットを開口し、スリットに固定爪を挿入した状態で後端部側をねじで引き寄せながら天板をスライドさせることによって、固定爪をスリットに係り合わせて、天板を脚に取り付けるようにしている。
【０００３】
また、特許文献２に示すものは、脚支柱の上端に固定爪と可動爪を設ける一方、脚の外壁の外側にグリップ式のねじ部材を取り付け、このねじ部材を可動爪に螺合させて駆動機構を構成している。そして、グリップを操作することによって、外壁を足場にして可動爪を螺進退させ、固定爪及び可動爪を天板の開口に係り合わせるようにしている。
【特許文献１】特許第２６３００４８号公報
【特許文献２】特許第２７１３１９９号公報
【発明の開示】
【発明が解決しようとする課題】
【０００４】
ところが、何れのものも、ねじを締め込む際には天板が引きずられるため、工具等により操作する際の操作抵抗が大きく、天板が大型になるほど適切な操作が難しくなる場合がある。
【０００５】
また、固定爪や可動爪がテーパ状をなしている場合、ねじを締めるに従って天板の開口に食い込むように密着し、食い込みに従って天板が更に微動するため、天板の奥行き方向の位置が正確に定まらないという問題もある。
【０００６】
さらに、例えば図１２に示すように、一対の平行配置された脚ａ１、ａ２に天板ｂの両縁部ｂ１、ｂ２を取り付ける場合に、一方の脚ａ１における天板ｂの取付時に天板ｂの一方の縁部ｂ１が矢印Ｘ１に示すように先に引きずられると、天板ｂが想像線Ｘ２に示すように僅かに水平旋回を引き起こし、その結果、脚ａ１、ａ２の爪と天板両縁部ｂ１、ｂ２の開口との位置関係が狂って脚ａ１、ａ２への天板ｂの取付が適正さを欠くことになる場合がある。まして、例えば図１３に示すように、直交配置された脚ｃ１、ｃ２に異形天板ｄの両縁部ｄ１、ｄ２を取り付けるような場合には、一方の脚ｃ１における天板ｄの取付時に天板ｄの一方の縁部ｄ１が矢印Ｙ１に示すように先に引きずられると、他方の脚ｃ２における天板ｄと脚ｃ２がＹ１とほぼ同じＹ２方向（すなわち、脚ｃ２の爪と天板縁部ｄ２の開口との係合方向と直交する方向）にずれるので、脚ｃ２への天板ｄの取付自体が困難となる事態も予想される。
【０００７】
以上は天板受に天板を取り付けるケースであるが、脚の後面に背板を取り付ける場合にも上記に準じた不具合が生じる場合がある。
【０００８】
本発明は、このような課題に着目してなされたものであって、天板受や脚の後面に天板や背板、簡単な操作を通じて適切に取り付けることを可能にし、位置決めも的確に行えて、異形天板の取付等にも有効に対応可能とした天板取付構造、背板取付構造等を、部品点数の削減や作動の安定化、剛性の確保、設計自由度の向上等を追求しつつ実現することを目的としている。
【課題を解決するための手段】
【０００９】
本発明は、かかる目的を達成するために、次のような手段を講じたものである。
【００１０】
先ず、本発明の天板取付構造は、ステーの天板受に天板を取り付けるにあたり、前記ステーに天板奥行き方向に沿って作動可能な作動部材を配置し、この作動部材に、当該作動部材の作動に伴い天板に係わって天板を厚み方向に引き寄せる天板係り合い部を一体的に設け、また当該作動部材をステーに沿って作動させるための駆動機構を関連づけるとともに、前記ステーのうち前記作動部材の作動に影響されない部位に、天板を奥行き方向の所定位置に係止するためのアンカー部を一体的に設けたものである。そして、駆動機構による作動部材の作動に伴い前記天板係り合い部及びアンカー部を介して前記天板をステーの天板受に取り付けた状態で、少なくとも２箇所において前記天板の天板受からの浮き上がりを規制するように構成したことを特徴とする。
【００１１】
このような構成により、天板をアンカー部を介して天板受の奥行き方向所定位置に載せ置いた後、駆動機構により作動部材を作動させると、天板は移動せず、天板係り合い部のみが移動して天板をステーの天板受けに取り付ける。このため、天板取り付けの際に天板を引きずることがなく、軽快な操作の下に天板を天板受に平易に取り付けることが可能となる。したがって、大型天板等には特に有効な構成となる。
【００１２】
具体的な実施の態様としては、作動部材の作動方向に沿った複数箇所に前記天板係り合い部を設け、これらの天板係り合い部において天板の２箇所以上を厚み方向に引き寄せるようにしているものや、アンカー部に天板を厚み方向に拘束する機能を付与し、このアンカー部による前記拘束とともに、作動部材に設けた前記天板係り合い部によって天板を厚み方向に引き寄せるようにしているものが挙げられる。
【００１３】
特に、天板係り合い部の安定、確実な作動を確保するためには、ステー内に、当該ステーに剛性を付与するための補強部材を利用して作動部材の作動方向と直交する断面がほぼ包囲された中空部を形成し、この中空部に前記作動部材を摺動可能な状態で密接に収容していることが望ましい。
【００１４】
以上は脚と背板の関係においても同様で、本発明の背板取付構造は、脚の後面に背板を取り付けるにあたり、前記脚に上下方向に沿って作動可能な背作動部材を配置し、この背作動部材に、当該背作動部材の作動に伴い背板に係わって厚み方向に背板を引き寄せる背板係り合い部を一体的に設け、また当該背作動部材を脚の後面に沿って作動させるための背部駆動機構を関連づけるとともに、前記後面のうち前記背作動部材の作動に影響されない部位に、背板を上下方向の所定位置に係止するための背アンカー部を一体的に設けたものである。そして、背部駆動機構による背作動部材の作動に伴い前記背板係り合い部及び背アンカー部を介して前記背板を脚の後面に取り付けた状態で、少なくとも２箇所において前記背板の脚後面からの浮き上がりを規制するように構成したことを特徴とする。
【００１５】
このような構成により、背板を背アンカー部を介して脚の後面の上下方向所定位置に添設した後、背部駆動機構により背作動部材を作動させると、背板は移動せず、背板係り合い部のみが移動して背板を脚の後面に取り付ける。このため、背板取り付けの際に背板を引きずることがなく、軽快な操作の下に背板を脚の後面に平易に取り付けることが可能となる。
【００１６】
この場合にも、具体的な実施の態様としては、背作動部材の作動方向に沿った複数箇所に前記背板係り合い部を設け、これらの背板係り合い部において背板の２箇所以上を厚み方向に引き寄せるようにしているものや、背アンカー部に背板を厚み方向に拘束する機能を付与し、この背アンカー部による前記拘束とともに、背作動部材に設けた前記背板係り合い部によって背板を厚み方向に引き寄せるようにしているものが挙げられる。
【００１７】
特に、背板係り合い部の安定、確実な作動を確保するためには、脚内部に、当該脚に剛性を付与するための補強部材を利用して背作動部材の作動方向と直交する断面がほぼ包囲された中空部を形成し、この中空部に前記背作動部材を摺動可能な状態で密接に収容していることが望ましい。
【００１８】
本発明は以上のような取付構造であるから、一対の平行配置された脚のステーにそれぞれ天板の両縁部を取り付けて天板付家具を構成したり、一対の交叉配置された脚のステーにそれぞれ天板の対応部位を取り付けて天板付家具を構成したり、一対の平行配置された脚の後面にそれぞれ背板の両縁部を取り付けて背板付家具を構成する場合に極めて有用なものとなり得る。
【発明の効果】
【００１９】
本発明は、以上説明した構成により、作動部材や背作動部材の作動を通じて天板と脚、背板と脚との相対位置を狂わせることなく、脚に天板や背板を取り付けることができるので、特に大型天板や幅広な背板の脚への取り付けや、異形天板の脚への取り付けを、軽快な操作を通じて簡単、適切に行うことが可能となる。
【００２０】
そして、このような構成を実現するにあたり、作動部材上に必要に応じて可動爪などの天板係り合い部を１又は複数箇所に一体的に設けられるので、可動爪などの天板係り合い部を複数箇所に個別に設けてこれらの連動した作動により天板の係り合いを実現する構造に比べれば、部品点数の削減が可能であり、また１つの作動部材全体を作動させることで動作が安定し、作動部材全体が一体となって天板に係り合うことで剛性も高められる。さらに、作動部材上の適宜箇所に天板係り合い部を設けられるので、設計自由が高くなり、必要に応じて天板係り合い部の位置変更や追加も可能となる。
【発明を実施するための最良の形態】
【００２１】
以下、本発明の一実施形態を、図面を参照して説明する。
【００２２】
図１及び図２は、この実施形態の取付構造が適用される天板付家具たるデスクを示している。このデスクは、一対の脚１，１の間を補強メンバを兼ねる天板２及び背板３で連結して構成されるものである。
【００２３】
脚１は、図２及び図３に示すように、脚側板１１の上下両端より前方に延びるステー１２及びベース１３を備えたもので、ステー１２には天板受１ｘより上方に向けて天板係り合い部である前可動爪１０２及び後可動爪１０３が突設してある。
【００２４】
前記ステー１２は、図４に示すように、上方に開口する概略チャネル状の下補強部１２０ｂと、下方に開口する概略チャネル状の上補強部１２０ａとを突き合わせて、図５に示すように当該ステー１２の長手方向と直交する断面がほぼ包囲された中空部１２ｘを形成したもので、少なくともその周囲に、外側面、上面及び下面をほぼ包み込むように接着剤を介して図４に示すように金属板である一対の鋼板１０ｘを挟み込むように添設し、加圧接着加工を施すことによって挟着している。ステー１２に連続する図３の脚側板１１の内部にはペーパーハニカムコア等の軽量芯材Ｃが配置されており、この軽量芯材Ｃも前述した鋼板１０ｘによって同時に挟着されている。
【００２５】
この状態において、図５に示す前記ステー１２の中空部１２ｘ内には、図４及び図５に示す上向きチャネル状の作動部材１００が長手方向に沿って摺動可能な状態で密接に収容されており、この作動部材１００の側壁１００ａの上縁に一体的に前可動爪１０２及び後可動爪１０３を形成している。
【００２６】
この作動部材１００のチャネル部には、作動方向に位置ずれしない状態でナット部４２が一体的に設けてあり、そのナット部４２のねじ孔４２ａに前方よりねじ部材４３の先端を螺合させている。ねじ部材４３の頭部４３ａには、工具を係り合わせることのできる六角穴等の操作力入力端４３ｘが設けられている。
【００２７】
また、前記下補強部１２０ｂには、ねじ部材４３の頭部４３ａよりも小径な挿通窓４４ａ、４５ａを有する一対のリテーナ４４，４５が相対方向に位置ずれしないように取り付けられ、これらのリテーナ４４，４５間にねじ部材の頭部４３ａを、回転を妨げることなく軸心方向への移動を規制した状態で保持している。
【００２８】
これらナット部４２、ねじ部材４３、リテーナ４４，４５は本発明の駆動機構Ｄを構成している。
【００２９】
前可動爪１０２は、ステー１２の前端付近に設けたスリット１２ａを通過して天板受１ｘより上方に突出させたもので、先端部１２１を後方に向けて逆Ｌ字形に屈曲させている。この前可動爪１０２の先端部１２１の下縁１２１ａは天板受１ｘに対して傾斜したテーパ状をなしている。
【００３０】
また、後可動爪１０３は、ステー１２の後端から脚側板１１に亘る付近に設けたスリット１２ｂを通過して天板受１ｘより上方に突出させたもので、前可動爪１０２と同様に、先端部１３１を後方に向けて逆Ｌ字形に屈曲させている。この後可動爪１０３の先端部１３１の下縁１３１ａも天板受１ｘに対して傾斜したテーパ状をなしている。
【００３１】
そして、ねじ部材４３に設けた前記操作力入力端４３ｘを、ねじ部材４３に沿って図２に示すステー１２の前方に表出させ得るようにしており、そのステー１２の前方に、非操作時にキャップｃ１が装着されるようにしている。
【００３２】
また、天板受１ｘの所要箇所、具体的にこの実施形態では前可動爪１０２と後可動爪１０３とのほぼ中間位置に、上方に向けて舌片状をなすアンカー部１０を、前記作動部材１００の作動を妨げない状態で天板巾方向に対をなして突設している。具体的には、図４に示すようにアンカー部１０は前記上補強部１２の上面の一部を切り起こすことによって形成したものである。
【００３３】
一方、天板２は、図２に示すように、面板部２１を前枠２２、後枠２３及び左右の側枠２４で補強したもので、この側枠２４の下面における前後に離間した２箇所に、それぞれ幅方向に対をなすスリット２０２，２０３を形成している。これらのスリット２０２，２０３は、図３に示すように後方に向かって漸次開口巾ｄが狭くなるテーパ状をなしている。また、天板２を脚１の所定位置に載せ置くべく、前記アンカー部１０の対応位置に位置決め穴２０が開口している。
【００３４】
そして、ステー１２から脚側板１１に亘る部位に設定した天板受１ｘ上に、図５→図６に示すように天板２を、それらのスリット２０２，２０３に前可動爪１０２及び後可動爪１０３を挿入しつつ載せ置き、その際に、位置決め穴２０にアンカー部１０をクリアランスがほぼ０となる状態で差し込んで凹凸関連部Ｘを構成する。そして、その状態から前記ねじ部材４３の操作力入力端４３ｘに電動工具Ｐ等を係り合わせて駆動することによって、図７（ａ）→（ｂ）に示すように、リテーナ４４、４５を足場にねじ部材４３をねじ送りして両可動爪１０２，１０３を一体的に設けた作動部材１００をステー１２の長手方向に沿って後方に移動させ、これによりこれにより前可動爪１０２を対応するスリット２０２の後縁に、また後可動爪１０３を対応するスリット２０３の後縁にそれぞれ係り合わせ、その際に天板２を厚み方向に引き寄せて、ねじ部材４３とねじ孔４２ａの螺合によるセルフロック機能により天板２を天板受１ｘ上に固定する。
【００３５】
つまり、天板１を、そのスリット２０２，２０３に両可動爪１０２，１０３を受容し且つ位置決め穴２０にアンカー部１０を差し込んで天板受１ｘ上に適切に載せ置きさえすれば、それ以後、天板１は動くことなく、両可動爪１０２，１０３が必要な場所まで動いて天板２を天板受１ｘに密着させることになる。
【００３６】
このとき、可動爪１０２，１０３の先端部下縁が延出方向にテーパ状をなしているとともに、スリット２０２，２０３の開口巾が可動爪１０２，１０３の移動方向に漸次狭小となっているため、可動爪１０２，１０３の先端下縁１２１ａ、１３１ａが開口縁に次第に食い込むように係り合うことで天板１を厚み方向に引き寄せ、またアンカー部１０との協働で天板１を前後方向に強固に固定すると同時に、可動爪１０２，１０３がスリット２０２，２０３の巾狭な部分に食い込むように係り合うことで天板２と脚１は巾方向にも強連結されることになる。
【００３７】
ステー１２の前端は図２に示すキャップｃ１を装着しない状態では前方に開口して、その開口の奥に前記ねじ部材４３のねじ頭４３ａが待機状態にあるため、以上の操作は前方からその操作力入力端４３ｘに電動工具Ｐ等を差し込んでねじ部材４３を駆動することにより、天板２を支持する左右の脚１、１それぞれにつき１回の作業で天板２の脚１への連結を完了することができる。
【００３８】
天板２を外す必要がある場合には、電動工具Ｐによってねじ部材４３を逆方向に駆動することになるが、図７（ｂ）の状態で可動爪１０２，１０３がスリット２０２，２０３に食い込んだ状態になり、リテーナ４４がないとすると、ねじ部材４３がねじ孔４２ａに送り出される際に、可動爪１０２，１０３が動くことなくねじ部材４３のみが前方に移動することが考えられる。これに対して、この実施形態では、リテーナ４４によってこのようなねじ部材４３の動きを防止しているので、ねじ送り操作は確実に作動部材１００、ひいては両可動爪１０２，１０３の動作につながることになる。
【００３９】
以上のような天板取付構造は、図８及び図９に示す背板取付構造においても同様である。
【００４０】
すなわち、脚側板１１にも、前補強部１１０ａと後補強部１１０ｂとが鋼板１０ｘによって狭着され、両補強部１００ａ、１１０ｂ間に平断面がほぼ包囲された中空部１１ｘを形成している。
【００４１】
中空部１１ｘ内には、背板係り合い部である上可動爪１１２及び下可動爪１１３を備えた後向きチャネル状の背作動部材１００´が上下方向に摺動可能な状態で密接に収容されている。
【００４２】
背作動部材１００´もナット部４２´を有し、前補強部１１０ａに取り付けたリテーナ４４´、４５´に支持させたねじ部材４３´を螺合させている。
【００４３】
上可動爪１１２及び下可動爪１１３はともに下向きに屈曲し、脚側板１１の後面１ｙに対向する位置がテーパ状に傾斜している。
【００４４】
脚側板１１の後面１ｙにおける上可動爪１１２の上方、及び、上可動爪１１２と下可動爪１１３のほぼ中間位置には、上向き爪状をなす第１背アンカー部１０ａと、後方に向けて水平に突出する舌片状の第２背アンカー部１０ｂとが、背作動部材１００´の作動を妨げない状態で後補強部１１０ｂの後面を切り起こすことによって設けてある。
【００４５】
背板３は、左右両縁近傍に位置する側枠の前向面に、幅方向に対をなすスリット３０２，３０３を上下２箇所に形成している。これらのスリット３０２，３０３は下方に向かって漸次開口幅が狭くなるテーパ状をなしている。また、上段側のスリット３０２のさらに上方には、第１背アンカー部１０ａを挿入するための上方に向かって漸次開口幅が狭くなるテーパ状の第１位置決め穴３００ａが、中段のスリット３０２と下段のスリット３０３の間には、第２背アンカー部１０ｂを挿入するための第２位置決め穴３００ｂがそれぞれ設けている。
【００４６】
そして、脚側板１１の後面１ｙに背板３を、それらのスリット３０２，３０３に上可動爪１１２及び下可動爪１１３を挿入しつつ添設させ、その際に、位置決め穴３００ａ、３００ｂにそれぞれ第１背アンカー部１０ａ及び第２背アンカー部１０ｂを差し込んで凹凸関連部を構成する。この実施形態では第１背アンカー部１０ａが優先して機能するように設定してあり、背板３の荷重が第１背アンカー部１０ａに担持され、屈曲していることから背板３の脱落も防止される。そして、ねじ部材４３´に電動工具等を係り合わせて駆動することによって、背作動部材１００´を押し下げ、背板３を動かすことなく両可動部材１１２、１１３を対応するスリット３０２、３０３の下縁に係り合わせて、背板３を厚み方向に引き寄せ、またアンカー部１０ａ、１０ｂとの協働で背板３を上下方向に強固に固定するようにしている。可動爪１１２，１１３がスリット３０２，３０３の巾狭な部分に食い込むように係り合うことで脚１と背板３は巾方向にも強連結されることになる。第２背アンカー部１０ｂは、長期の使用により或いは不慮の衝撃によって第１アンカー部１０ａが損傷した場合に機能し得る。
【００４７】
以上のようにして、背板３を支持する左右の脚１、１それぞれにつき１回の作業で背板３の脚１への連結を完了することができる。
【００４８】
なお、上述した天板取付構造においては、前可動爪１２１、後可動爪１２２及びアンカー部１０はそれぞれ天板巾方向に対をなしており、天板２のスリット２０１，２０２及び位置決め穴２０もそれぞれ天板巾方向に対をなしているため、脚１をエンド脚として使用するときは、各々対をなす前可動爪１２１、後可動爪１２２及びアンカー部１０をスリット２０１，２０２及び位置決め穴２０に係り合わせて天板２の側端面が脚１から側方に突出しないように配置されるが、中間脚として使用するときは、脚１の上に左右の天板２，２を片半部づつ天板受１ｘ上に載せ置き、前可動爪１２１、後可動爪１２２及びアンカー部１０をそれぞれ各天板２の最寄のスリット２０１，２０２及び位置決め穴２０に半分づつ係り合わせることで、部材の追加等を一切せずに使用態様を変更することができる。そして、前述したように、スリット２０１，２０２は可動爪１２１、１２２が係り合う方向に向かって漸次巾狭になっているため、可動爪１２１、１２２がスリット２０１，２０２に食い込むに従って左右の天板２、２を巾方向に引き寄せて強連結できるようにもなっている。
【００４９】
同様に、上述した背板取付構造においては、上可動爪１１２、下可動爪１１３、アンカー部１０ａ、１０ｂはそれぞれ対をなしており、背板３のスリット３０２，３０３もそれぞれ対をなしているため、脚１をエンド脚として使用するときは、両可動爪１１２，１１３及びアンカー部１０ａ、１０ｂを対応するスリット３０２，３０３及び位置決め穴３００ａ、３００ｂに係り合わせて背板３の側端面が脚１から側方に突出しないように脚１の内面ではなく後面１ｙに取り付いて配置されるが、中間脚として使用するときは、脚１の後面１ｙに左右の背板３，３を片半部づつ添設し、両可動爪１１２，１１３及びアンカー部１０ａ、１０ｂをそれぞれ対応するスリット３０２，３０３及び位置決め穴３００ａ、３００ｂに半分づつ係り合わせることで、部材の追加等を一切せずに使用態様を変更することができる。
【００５０】
以上のように、本実施形態の天板取付構造は、ステー１２の天板受１ｘに天板２を取り付けるにあたり、ステー１２に天板奥行き方向に沿って作動可能な作動部材１００を配置し、この作動部材１００に、当該作動部材１００の作動に伴い天板２に係わって天板２を厚み方向に引き寄せる天板係り合い部たる可動爪１０２，１０３を一体的に設け、また当該作動部材１００をステー１２に沿って作動させるための駆動機構Ｄを関連づけるとともに、前記ステー１２のうち前記作動部材１００の作動に影響されない部位に、天板２を奥行き方向の所定位置に係止するためのアンカー部１０を一体的に設けたものである。そして、駆動機構Ｄによる作動部材１００の作動に伴い前記可動爪１０２，１０３及びアンカー部１０を介して前記天板２をステー１２の天板受１ｘに取り付けた状態で、２箇所において天板２の天板受１ｘからの浮き上がりを規制するようにしている。
【００５１】
このような構成により、天板２をアンカー部１０を介して天板受１ｘの奥行き方向所定位置に載せ置いた後、駆動機構Ｄにより作動部材１００を作動させると、天板２は移動せず、可動爪１０２，１０３のみが移動して天板２をステー１２の天板受１ｘに取り付ける。このため、天板取り付けの際に天板２を引きずることがなく、軽快な操作の下に天板２を天板受１ｘに平易に取り付けることができる。
【００５２】
特に、作動部材１００の作動方向に沿った２箇所に可動爪１０２，１０３を離間させて設け、これらの可動爪１０２，１０３において天板２を厚み方向に引き寄せて拘束するようにしているので、離間距離が大きくなるほど、作動部材１００が長尺になるため、部材剛性が高くなり、作動やステー１２内における収まりも良好となる。また、天板２の複数箇所を引き寄せる際に、引き寄せ箇所が離間するほど、浮き上がり防止効果も有効に増大することとなる。
【００５３】
具体的には、ステー１２内に、当該ステー１２に剛性を付与するための補強部材１２０ａ、１２０ｂを利用して作動部材１００の作動方向と直交する断面がほぼ包囲された中空部１２ｘを形成し、この中空部１２ｘに前記作動部材１００を摺動可能な状態で密接に収容しているので、ステー１２の剛性確保に必要な補強部材１２０ａ、１２０ｂを足場にして作動部材１００ひいては可動爪１０２，１０３の安定、確実な動作を実現することができる。
【００５４】
以上は脚１と背板３の関係においても同様で、脚１の後面１ｙに背板３を取り付けるにあたり、前記脚１に上下方向に沿って作動可能な背作動部材１００´を配置し、この背作動部材１００´に、当該背作動部材１００´の作動に伴い背板に係わって厚み方向に背板を引き寄せる背板係り合い部たる可動爪１１２，１１３を一体的に設け、また当該背作動部材１００´を脚１の後面１ｙに沿って作動させるための背部駆動機構Ｄ´を関連づけるとともに、前記後面１ｙのうち背作動部材１００´の作動に影響されない部位に、背板３を上下方向の所定位置に係止するための背アンカー部１０ａ、１０ｂを一体的に設けたものである。そして、背部駆動機構Ｄ´による背作動部材１００´の作動に伴い前記可動爪１１２，１１３及び背アンカー部１０ａ、１０ｂを介して前記背板３を脚１の後面１ｙに取り付けた状態で、２箇所において前記背板３の脚後面１ｙからの浮き上がりを規制するように構成している。
【００５５】
このような構成により、背板３を背アンカー部１０ａ、１０ｂを介して脚１の後面１ｙの上下方向所定位置に添設した後、背部駆動機構Ｄ´により背作動部材１００´を作動させると、背板３は移動せず、可動爪１１２，１１３のみが移動して背板３を脚１の後面１ｙに取り付ける。このため、背板取り付けの際に背板３を引きずることがなく、軽快な操作の下に背板３を脚１の後面１ｙに平易に取り付けることができる。
【００５６】
特に、背作動部材１００´の作動方向に沿った２箇所に可動爪１１２，１１３を離間させて設け、これらの可動爪１１２，１１３において背板３を厚み方向に引き寄せて拘束するようにしているので、可動爪１１２，１１３の離間距離が大きくなるほど、背作動部材１００´が長尺になるため、部材剛性が高くなり、作動や収まりも良好となる。また、背板３の複数箇所を引き寄せる際に、引き寄せ箇所が離間するほど浮き上がり防止効果も増大することとなる。
【００５７】
具体的には、脚１の内部に、当該脚１に剛性を付与するための補強部材１００ａ、１００ｂを利用して背作動部材１００´の作動方向と直交する断面がほぼ包囲された中空部１１ｘを形成し、この中空部１１ｘに前記背作動部材１００´を摺動可能な状態で密接に収容しているので、脚１の剛性確保に必要な補強部材１００ａ、１００ｂを足場にして背作動部材１００´ひいては背板係り合い部の安定、確実な動作を実現することができる。
【００５８】
したがって、図１２に示したような矩形状のテーブルやデスク等に適用して、一対の平行配置された脚のステーや後面にそれぞれ天板や背板の両縁部を取り付けたり、図１３に示したような異形天板を有するテーブル等の一対の交叉配置された脚のステーに天板の対応部位を取り付ける場合等に極めて有用なものとなり得る。
【００５９】
なお、各部の具体的な構成は、上述した実施形態のみに限定されるものではない。
【００６０】
例えば、作動部材側の係り合い部をスリットとし、天板側に弾性爪を設けて、この弾性爪をスリットに挿通して天板を天板受に載せ置き、作動部材を作動させることによって、弾性爪をスリットに係り合わせるようにしてもよい。
【００６１】
また、上記実施形態を含めて、係り合い部を図１０に示すように作動部材４００に設けたダルマ孔４０２とし、天板側に段付きピン４０１を設けて、作動部材４００を作動させることによってダルマ孔４０２を移動させ、段付きピン４０１に係り合わせてもよい。勿論、段付きピンを作動部材４００側に設け、ダルマ孔を天板側に設けることも可能である。そして、これらは、背作動部材に設ける係り合い部と背板との関係においても同様に適用することができる。
【００６２】
また、アンカー部は、天板と脚、脚と背板の厚み方向の重合部分に位置する必要は必ずしもなく、例えば図１１に示すように、天板２の後面２ｚや背板３の下面３ｚに係わって天板２の後方への位置ずれ、背板３の下方への位置ずれをそれぞれ規制する位置にアンカー部を１０ｚ、１０ｚ´を突出させておいてもよい。
【００６３】
さらに、このアンカー部をＬ形に屈曲させ、対応する天板や背板にスリットを設ければ、アンカー部をスリットに差し込むことによって天板や背板を厚み方向に拘束することができる。この場合、天板係り合い部とアンカー部をそれぞれ少なくとも１箇所ずつ設ければ、或いは背板係り合い部とアンカー部をそれぞれ少なくとも１箇所ずつ設ければ、天板や背板の適切な取り付けが可能となる。
【００６４】
その他の構成も、本発明の趣旨を逸脱しない範囲で種々変形が可能である。
【図面の簡単な説明】
【００６５】
【図１】本発明の一実施形態を適用したデスクの斜視図。
【図２】同デスクを構成する脚と天板、背板との関係を示す分解斜視図。
【図３】図１の脚のステー部を示す拡大斜視図。
【図４】図３の分解斜視図。
【図５】ステー部の部分縦断面図。
【図６】ステー部への天板の取付の様子を示す図。
【図７】同実施形態における天板取付手順を示す作用説明図。
【図８】同脚の後面を示す斜視図。
【図９】図８の分解斜視図。
【図１０】本発明の変形例を示す図。
【図１１】本発明の他の変形例を示す図。
【図１２】従来の取付構造の不具合を説明するための図。
【図１３】従来の取付構造の不具合を説明するための図。
【符号の説明】
【００６６】
１…脚
１ｘ…天板受
１ｙ…脚の後面
２…天板
３…背板
１０…アンカー部
１０´…アンカー部
１２…ステー
１００…作動部材
１００´…作動部材
１１０ａ…前補強部
１１０ｂ…後補強部
１１２，１１３…背板係り合い部（可動爪）
１２０ａ…上補強部
１２０ｂ…下補強部
１２１，１３１…天板係り合い部（可動爪）
Ｄ…駆動機構
Ｄ´…駆動機構
【図１】
0005099442.tif 000002
【図２】
0005099442.tif 000003
【図３】
0005099442.tif 000004
【図４】
0005099442.tif 000005
【図５】
0005099442.tif 000006
【図６】
0005099442.tif 000007
【図７】
0005099442.tif 000008
【図８】
0005099442.tif 000009
【図９】
0005099442.tif 000010
【図１０】
0005099442.tif 000011
【図１１】
0005099442.tif 000012
【図１２】
0005099442.tif 000013
【図１３】
0005099442.tif 000014